(57)【特許請求の範囲】
【請求項１】
コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の接地コンデンサと前記接地線との間に第１の開閉接続部を設け、かつ、前記第２の接地コンデンサと前記接地線との間に第２の開閉接続部を設けると共に、
前記第１の接地コンデンサと前記第１の開閉接続部との接続点と、前記第２の接地コンデンサと前記第２の開閉接続部との接続点との間に、第３の開閉接続部を設けることを特徴としたノイズフィルタ。
【請求項２】
コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の線間コンデンサの中性点と前記第１の接地コンデンサとの間に第１の開閉接続部を設け、かつ、前記第２の線間コンデンサの中性点と前記第２の接地コンデンサとの間に第２の開閉接続部を設けると共に、
前記第１の線間コンデンサの中性点と前記第１の開閉接続部との接続点と、前記第２の線間コンデンサの中性点と前記第２の開閉接続部との接続点との間に、第３の開閉接続部を設けることを特徴としたノイズフィルタ。
【請求項３】
コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の線間コンデンサの中性点と前記第１の接地コンデンサとの間に第１の開閉接続部を設け、かつ、前記第２の線間コンデンサの中性点と前記第２の接地コンデンサとの間に第２の開閉接続部を設けると共に、
前記第１の開閉接続部と前記第１の接地コンデンサとの接続点と、前記第２の線間コンデンサの中性点とを接続する第３の開閉接続部を設けることを特徴としたノイズフィルタ。
【請求項４】
コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の線間コンデンサの中性点と前記第１の接地コンデンサとの間に第１の開閉接続部を設け、かつ、前記第２の線間コンデンサの中性点と前記第２の接地コンデンサとの間に第２の開閉接続部を設けると共に、
前記第２の開閉接続部と前記第２の接地コンデンサとの接続点と、前記第１の線間コンデンサの中性点とを接続する第３の開閉接続部を設けることを特徴としたノイズフィルタ。
【請求項５】
コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の線間コンデンサの中性点と前記第１の接地コンデンサとの間に開閉接続部を設けると共に、
前記開閉接続部と前記第１の接地コンデンサとの接続点と、前記第２の線間コンデンサの中性点との間に、前記開閉接続部とは別の開閉接続部を設けることを特徴としたノイズフィルタ。
【発明の詳細な説明】
【技術分野】
【０００１】
この発明は、電力変換装置等において発生する電磁ノイズを低減するためのノイズフィルタに関するものである。
【背景技術】
【０００２】
ＩＧＢＴ，ＭＯＳＦＥＴ等のパワー半導体素子が数［ｋＨｚ］〜数１００［ｋＨｚ］の高速スイッチングを行って電圧・電流を変換するインバータやコンバータ等の電力変換装置は、高効率・小型化・軽量化等のメリットによって急速に普及が拡大している。
しかし、電力変換を行うための高速スイッチングは電磁ノイズを発生する原因となり、周辺機器に対する電磁ノイズ障害が大きな課題となっている。
【０００３】
上記の電磁ノイズ障害を防止するため、電力変換装置には一般にノイズフィルタが備えられており、このノイズフィルタの作用によって外部へ流出する電磁ノイズを低減している。また、欧州から始まった電磁ノイズの法規制は世界的に広がってきており、規制対象となる伝導ノイズ（雑音端子電圧）及び放射ノイズ（放射電界強度）は、電力変換装置の使用環境において低減すべきレベルが明確になっている。
【０００４】
しかしながら、所定の規格を満足した電力変換装置であっても、フィールドにおいて電磁ノイズ障害が発生することがある。これは、使用環境によって電力変換装置の周辺機器への影響が大きく異なるためである。
周辺機器がノイズ耐性の低い機器（高感度の計測機器のように誤動作しやすい機器）である場合や、電力変換装置の直近に計測機器が配置されるような場合は、電力変換装置が最も厳しい規格（例えば、ＣＩＳＰＲ２２，ＣｌａｓｓＢ）をクリアしていても電磁ノイズ障害が発生することがある。
【０００５】
また、電力変換装置のノイズフィルタは、一般にリアクトル（コモンモードチョークコイル）と線間コンデンサ、接地コンデンサを含む形で構成されるが、ノイズフィルタを追加したことによって発生する障害もある。例えば、接地コンデンサを介して流れる漏れ電流が増加して漏電遮断器が応動する事例や、コモンモードチョークコイルに過大なノイズ電流（コモンモード電流）が流れてチョークコイルの過熱・焼損を招く事例等があり、この種の過熱・焼損事故は、例えば、以下のような電動機可変速駆動システムにおいて生じる場合がある。
【０００６】
図７は、三相交流電動機（以下、単に電動機という）を三相インバータにより駆動する可変速駆動システムの全体構成を示している。
図７において、１０は三相交流電源、２０は入力ケーブル、３０は後述の図８に示すノイズフィルタ、４０は、ダイオード整流回路４１と平滑コンデンサＣｄｃとインバータ部４２とからなる三相インバータ、５０は出力ケーブル、６０は電動機である。なお、Ｓ１〜Ｓ６はＩＧＢＴ等の半導体スイッチング素子である。
【０００７】
ここで、ノイズフィルタ３０は、例えば図８に示すように構成されている。このノイズフィルタ３０は、いわゆるπ型フィルタとして知られているものである。
図８において、ノイズフィルタ３０の各相の入出力端子Ｒ，Ｒ’，Ｓ，Ｓ’，Ｔ，Ｔ’間には、コイル３１Ｒ，３１Ｓ，３１Ｔからなるコモンモードチョークコイル３１が接続されている。
【０００８】
また、コモンモードチョークコイル３１の入力端子Ｒ，Ｓ，Ｔ側と接地線３２（Ｅ，Ｅｉｎは接地端子を示す）との間には、第１の線間コンデンサ３３と第１の接地コンデンサ３４と第１のフィルタスイッチ３５とが直列に接続され、コモンモードチョークコイル３１の出力端子Ｒ’，Ｓ’，Ｔ’側と接地線３２との間には、第２の線間コンデンサ３６と第２の接地コンデンサ３７と第２のフィルタスイッチ３８とが直列に接続されている。なお、３３Ｒ，３３Ｓ，３３Ｔ，３６Ｒ，３６Ｓ，３６Ｔは、線間コンデンサ３３，３６をそれぞれ構成するコンデンサである。
【０００９】
上記のノイズフィルタ３０は、主に、三相インバータ４０が駆動した際に出力ケーブル５０及び電動機６０に形成される浮遊容量を介して接地線３２に流れ、系統に流出するコモンモード電流（高周波漏れ電流）を低減する役割を果たしており、出力ケーブル５０が長くなるほど、出力ケーブル５０に形成される浮遊容量が大きくなってコモンモード電流も大きくなる。
可変速駆動システムが設置されるフィールドによっては、出力ケーブル５０が取扱説明書等に記載された許容長を超えて敷設されることがあり、その場合には、コモンモードチョークコイル３１に設計値以上の過大なコモンモード電流が流れて過熱・焼損に至ることもある。
【００１０】
このような障害の発生を回避するには、ノイズフィルタを外付けタイプにして大電流対応品に交換可能とすることや、ノイズフィルタが内蔵されているシステムにおいては、図８に示したフィルタスイッチ３５，３８のオン・オフにより、フィルタ機能の有効・無効を選択可能にすることが考えられる。
【００１１】
例えば、特許文献１には、図８と同等の機能のフィルタスイッチを備えた電力変換装置が記載されている。この特許文献１では、フィルタスイッチのオン・オフによりフィルタ機能の有効・無効を選択可能としてノイズフィルタの交換に伴う煩雑な作業を解消しており、フィルタスイッチをオフすることで過大な漏れ電流の発生を防止し、漏電遮断器等が応動するのを防いでいる。
【先行技術文献】
【特許文献】
【００１２】
【特許文献１】特開２０１２−２２８０２１号公報（段落［００２３］，［００２４］、図３等）
【発明の概要】
【発明が解決しようとする課題】
【００１３】
しかしながら、フィルタスイッチをオフしてフィルタ機能を無効にした場合には、電力変換装置から流出するノイズ量が増加することとなり、周辺機器の誤動作やコモンモードチョークコイルの過熱・焼損等の新たな障害を生じさせる懸念がある。また、フィルタスイッチはフィルタ機能の有効・無効を切り替える機能しか持たないため、フィルタ機能の有効時に電磁ノイズ障害が発生した場合には、新たなノイズ対策部品を追加しなければならない。
【００１４】
そこで、本発明の解決課題は、フィルタ機能の有効・無効を切り替えるだけではなく，コモンモードチョークコイルの過熱・焼損を防ぐと共に、フィールドにおける電磁ノイズ障害への適切な対策を実施可能としたノイズフィルタを提供することにある。
【課題を解決するための手段】
【００１５】
上記課題を解決するため、請求項１に係る発明は、コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の接地コンデンサと前記接地線との間に第１の開閉接続部を設け、かつ、前記第２の接地コンデンサと前記接地線との間に第２の開閉接続部を設けると共に、
前記第１の接地コンデンサと前記第１の開閉接続部との接続点と、前記第２の接地コンデンサと前記第２の開閉接続部との接続点との間に、第３の開閉接続部を設けたものである。
【００１６】
請求項２に係る発明は、コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の線間コンデンサの中性点と前記第１の接地コンデンサとの間に第１の開閉接続部を設け、かつ、前記第２の線間コンデンサの中性点と前記第２の接地コンデンサとの間に第２の開閉接続部を設けると共に、
前記第１の線間コンデンサの中性点と前記第１の開閉接続部との接続点と、前記第２の線間コンデンサの中性点と前記第２の開閉接続部との接続点との間に、第３の開閉接続部を設けたものである。
【００１７】
請求項３に係る発明は、コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の線間コンデンサの中性点と前記第１の接地コンデンサとの間に第１の開閉接続部を設け、かつ、前記第２の線間コンデンサの中性点と前記第２の接地コンデンサとの間に第２の開閉接続部を設けると共に、
前記第１の開閉接続部と前記第１の接地コンデンサとの接続点と、前記第２の線間コンデンサの中性点とを接続する第３の開閉接続部を設けたものである。
【００１８】
請求項４に係る発明は、コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の線間コンデンサの中性点と前記第１の接地コンデンサとの間に第１の開閉接続部を設け、かつ、前記第２の線間コンデンサの中性点と前記第２の接地コンデンサとの間に第２の開閉接続部を設けると共に、
前記第２の開閉接続部と前記第２の接地コンデンサとの接続点と、前記第１の線間コンデンサの中性点とを接続する第３の開閉接続部を設けたものである。
【００１９】
請求項５に係る発明は、コモンモードチョークコイルの入力側に複数のコンデンサからなる第１の線間コンデンサを接続すると共に、前記コモンモードチョークコイルの出力側に複数のコンデンサからなる第２の線間コンデンサを接続し、前記第１の線間コンデンサの中性点と接地線との間に第１の接地コンデンサを接続し、かつ、前記第２の線間コンデンサの中性点と前記接地線との間に第２の接地コンデンサを接続して構成されるπ型のノイズフィルタにおいて、
前記第１の線間コンデンサの中性点と前記第１の接地コンデンサとの間に開閉接続部を設けると共に、
前記開閉接続部と前記第１の接地コンデンサとの接続点と、前記第２の線間コンデンサの中性点との間に、前記開閉接続部とは別の開閉接続部を設けたものである。
【発明の効果】
【００２１】
本発明によれば、コモンモードチョークコイルの入力側及び出力側にそれぞれ接続された線間コンデンサと接地コンデンサとを切り離し可能とし、かつ、これらの線間コンデンサの中性点同士を接続可能とすることにより、コモンモードチョークコイルの過熱・焼損を防ぐと共に、電力変換器等が設置されたフィールドにおける電磁ノイズ障害への適切な対策を実施することができる。
【図面の簡単な説明】
【００２２】
【図１】本発明の第１実施形態の構成を示す回路図である。
【図２】本発明の第２実施形態の構成を示す回路図である。
【図３】本発明の第２実施形態の使用状態を示す回路図である。
【図４】本発明の第２実施形態の使用状態を示す回路図である。
【図５】本発明の第２実施形態の使用状態を示す回路図である。
【図６】本発明の第３実施形態を示す回路図である。
【図７】三相インバータを用いた電動機可変速駆動システムの全体構成図である。
【図８】図７におけるノイズフィルタの構成図である。
【発明を実施するための形態】
【００２３】
以下、図に沿って本発明の実施形態を説明する。
図１は、本発明の第１実施形態に係るノイズフィルタ３０Ａの構成図であり、請求項１に係る発明に相当する。なお、以下の各実施形態において、図８における各部と同一の機能を有するものには図８の参照符号と同一の参照符号を付してある。
【００２４】
図１の第１実施形態が図８と異なるのは、第１の接地コンデンサ３４と第１のフィルタスイッチ３５との接続点と、第２の接地コンデンサ３７と第２のフィルタスイッチ３８との接続点との間に、第３のフィルタスイッチ３９を接続した点である。このフィルタスイッチ３９をオンすることで、コモンモードチョークコイル３１の過熱・焼損を防止することができる。
【００２５】
ここで、第１，第２，第３のフィルタスイッチ３５，３８，３９は、それぞれ、請求項における第１，第２，第３の開閉接続部に相当している。これら第１，第２，第３の開閉接続部は、スイッチを固定的に配置して構成しても良いし、後述するように、短絡片と、この短絡片により短絡可能な一対の接続点とによって構成しても良い。
【００２６】
図１において、フィルタスイッチ３５，３８をオフした上で、フィルタスイッチ３９をオンすると、線間コンデンサ３３，３６、接地コンデンサ３４，３７によってコモンモードチョークコイル３１のバイパス経路が形成される。このため、コモンモードチョークコイル３１の過熱・焼損の原因となるコモンモード電流は線間コンデンサ３３，３６側にバイパスして流れるため、コモンモードチョークコイル３１には流れにくくなる。これにより、コモンモードチョークコイル３１に過大な電流が流れるのを防ぎ、その過熱・焼損を防止することができる。
【００２７】
また、フィルタスイッチ３５，３８を、短絡片とこの短絡片により短絡可能な一対の接続点によってそれぞれ構成しておき、一方の短絡片を取り外したうえで、図１のフィルタスイッチ３９に相当する部位に設けた一対の接続点を短絡させれば、フィルタスイッチ３９として独立した部品を設ける必要もない。
【００２８】
次に、図２は、本発明の第２実施形態に係るノイズフィルタ３０Ｂの基本的な構成図である。
第２実施形態が図８と異なるのは、フィルタスイッチ３５，３８の接続位置である。すなわち、図８では、フィルタスイッチ３５，３８が接地コンデンサ３４，３７と接地線３２との間にそれぞれ接続されているが、第２実施形態では、フィルタスイッチ３５，３８が線間コンデンサ３３，３６の各中性点と接地コンデンサ３４，３７との間にそれぞれ接続されている。
【００２９】
通常、ノイズフィルタを構成する部品は、一箇所に集中して配置した方が大きなノイズ低減効果が得られるため、図２に示すように線間コンデンサと接地コンデンサとの間にフィルタスイッチ３５，３８を設けることは一般的でない。
しかし、図1の第１実施形態では、フィルタスイッチ３９をオンすることで線間コンデンサ３３，３６、接地コンデンサ３４，３７が直列に接続されるのに対し，図２の第２実施形態では、線間コンデンサ３３，３６と接地コンデンサ３４，３７とをフィルタスイッチ３５，３８によってそれぞれ切り離したうえで、図３のようにフィルタスイッチ３９を接続する（オンする）ことにより、コモンモード電流のバイパス経路には線間コンデンサ３３，３６のみがフィルタスイッチ３９を介して直列接続される形になる。
これにより、第１実施形態に比べてコモンモード電流のバイパス経路のインピーダンスが小さくなり、コモンモードチョークコイル３１の過熱・焼損を防止する効果を一層高めることができる。
【００３０】
更に詳しく説明すると、第２実施形態ではコモンモード電流のバイパス経路におけるコンデンサの直列数が少なくなるだけでなく、設計上の手法として、接地コンデンサ３４，３７よりも線間コンデンサ３３，３６の静電容量の方が大きくなるのが一般的である。これは、コモンモードチョークコイル３１の漏れインダクタンスと接地コンデンサ３４，３７とによってコモンモードフィルタを構成するのに対し、コモンモードチョークコイル３１の漏れインダクタンスと線間コンデンサ３３，３６とによってノーマルモードフィルタを構成しており、何れのフィルタも共振周波数はおよそ同じような値（数１０［ｋＨｚ］付近）に設定することになる。ここで、コモンモードフィルタ３１の漏れインダクタンスは非常に小さいため，線間コンデンサ３３，３６の容量を接地コンデンサ３４，３７の容量よりも大きくすることで、両フィルタの共振周波数を同程度に設定している。
【００３１】
つまり、図３のノイズフィルタ３０Ｃに示すように、バイパス経路にフィルタスイッチ３９を介して線間コンデンサ３３，３６のみが直列接続されるようにすると、コモンモードチョークコイル３１と並列に接続される静電容量が大きくなるため、より多くのコモンモード電流を線間コンデンサ３３，３６側にバイパスさせることができる。結果として、コモンモードチョークコイル３１に流れるコモンモード電流が減少するので、コモンモードチョークコイル３１の過熱・焼損の恐れが少なくなる。
なお、図３のノイズフィルタ３０Ｃは、請求項２に係る発明に相当している。
【００３２】
この第２実施形態においても、フィルタスイッチ３５，３８を、短絡片とこの短絡片により短絡可能な一対の接続点によってそれぞれ構成しておき、両方の短絡片を取り外したうえで、一方の短絡片を用いて図３のフィルタスイッチ３９に相当する部位に設けた一対の接続点を短絡させれば、フィルタスイッチ３９として独立した部品を設ける必要もない。
【００３３】
また、図４，図５に示すように接続すると、フィールドにおいて電磁ノイズ障害が発生した際に、新たなノイズフィルタを追加せずに所望のノイズ低減効果を得るように、フィルタ構成を組み替えることができる。
すなわち、図４は、フィルタスイッチ３５と接地コンデンサ３４との接続点と、線間コンデンサ３６の中性点との間にフィルタスイッチ３９を接続してノイズフィルタ３０Ｄを構成する例であり、図５は、線間コンデンサ３３の中性点と、フィルタスイッチ３８と接地コンデンサ３７との接続点との間にフィルタスイッチ３９を接続してノイズフィルタ３０Ｅを構成する例である。
これらのノイズフィルタ３０Ｄ，３０Ｅは、それぞれ請求項３，４に係る発明に相当している。
何れの場合も、フィルタスイッチ３５，３８を短絡片により構成しておき、一方の短絡片を取り外したうえで、図４または図５のフィルタスイッチ３９に相当する部位に設けた一対の接続点を短絡させれば良い。
【００３４】
図４，図５に示すような接続構成が可能になるのは、一般的なノイズフィルタは規格を満足するように設計されていることに起因する。この種の規格で求められるのは、１５０［ｋＨｚ］〜３０［ＭＨｚ］の伝導ノイズ（雑音端子電圧）と３０［ＭＨｚ］〜１［ＧＨｚ］（最高で６［ＧＨｚ］）の放射ノイズ（放射電界強度）を低減することであり、通常は、このような幅広い周波数帯域に対して全体的にノイズを低減できるようにノイズフィルタを設計している。
つまり、図８に示した従来のノイズフィルタ３０では、コモンモードチョークコイル３１を挟んで両側に接続される接地コンデンサ３４，３７は、低減させる周波数帯域が異なっている。
【００３５】
具体的には、コモンモードチョークコイル３１と第２の接地コンデンサ３７との組み合わせにより、およそ１［ＭＨｚ］以下のノイズを低減するのに対し、第１の接地コンデンサ３４は、交流電源１０までの入力ケーブル２０の配線インダクタンスとの組み合わせにより、およそ１［ＭＨｚ］以上（目安は５［ＭＨｚ］以下）のノイズを低減するのに効果がある。
【００３６】
しかし、フィールドにおいて電磁ノイズ障害が生じる場合、１５０［ｋＨｚ］〜３０［ＭＨｚ］という広い周波数帯域全体に生じている電磁ノイズが原因になっていることは稀である。すなわち、通常は、障害を起こしている周辺機器との組み合わせで狭い周波数帯域における電磁障害が発生する場合がほとんどである。
例えば、ＡＭラジオへの雑音混入の場合では、５３１［ｋＨｚ］〜１６０２［ｋＨｚ］の周波数帯域における電磁ノイズが問題となる。あるいは、規制対象外の１５０［ｋＨｚ］以下に発生している電磁ノイズが原因となって、周辺機器が誤動作する場合もある。つまり、電磁ノイズ障害は、インバータ等の電力変換装置と影響を受ける周辺機器との組み合わせによって発生する。
【００３７】
そこで、図４に示す回路が構成されるように第３のフィルタスイッチ３９の設置箇所を選定し、第１のフィルタスイッチ３５をオフ、第２，第３のフィルタスイッチ３８，３９をオンすれば、１［ＭＨｚ］以下の周波数帯域の電磁ノイズを図８の場合よりも大きく低減することができる。
【００３８】
また、図５に示す回路が構成されるように第３のフィルタスイッチ３９の設置箇所を選定した場合、前述したおよそ１［ＭＨｚ］以下の電磁ノイズは低減量が減ってしまう反面、１［ＭＨｚ］以上の周波数帯域の電磁ノイズが低減される。一般に、５［ＭＨｚ］以上の周波数帯域のノイズ対策は、部品配置等に大きく依存しており、理論計算によって求めることが難しい。しかし、図５の構成において、フィルタスイッチ３５，３９をオンして電源側に接地コンデンサ３４，３７を集約することにより、高周波に特化して電磁ノイズを低減できることが期待される。
【００３９】
以上の図２〜図５に示した第２実施形態は、第３のフィルタスイッチ３９の設置箇所及びそのオン・オフ状態を除けば、第１，第２の線間コンデンサ３３，３６、第１，第２のフィルタスイッチ３５，３８、第１，第２の接地コンデンサ３４，３７の接続構成は同一である。
言い換えれば、第１，第２のフィルタスイッチ３５，３８を構成する短絡片を用いて第３のフィルタスイッチ３９に相当する部位をオンまたはオフすることにより、図２〜図５に示した全ての回路が構成される。
従って、図２〜図５におけるノイズフィルタ３０Ｂ，３０Ｃ，３０Ｄ，３０Ｅは、共通の部品を用いて構成可能であり、最も対策すべき課題（コモンモードチョークコイルを保護する場合、およそ１［ＭＨｚ］以下の電磁ノイズを低減する場合、１［ＭＨｚ］以上の電磁ノイズを低減する場合）に応じて、構成を選択すれば良く、基本構成であるフィルタスイッチを設けない場合のノイズフィルタの構成（フィルタスイッチ３５,３８をオン、同３９をオフとした構成）によるノイズ低減効果を損なうことはない。よって、従来から行ってきたフィルタの設計（回路定数の決定）に悪影響を与えることがない。
【００４０】
次に、図６は本発明の第３実施形態を示す構成図であり、請求項５に係る発明に相当する。この第３実施形態に係るノイズフィルタ３０Ｆは、図４のノイズフィルタ３０Ｄから第２のフィルタスイッチ３８を除去した構成に相当する。
【００４１】
つまり、図６に示す第３実施形態は、第１，第３のフィルタスイッチ３５，３９の動作により、基本的な構成であるπ型フィルタと、インバータ４０側に接地コンデンサ３４，３７を集約して１［ＭＨｚ］以下の周波数帯域の電磁ノイズを大幅に低減可能とする構成（フィルタスイッチ３５をオフ、フィルタスイッチ３９をオン）や、コモンモードチョークコイル３１の過熱・焼損を防止するための構成（フィルタスイッチ３５，３９をオン）を実現可能である。また、フィルタスイッチ３５，３９を両方ともオフすれば、接地コンデンサ３４を接地線３２から切り離せることから、漏れ電流を低減させることもできる。
ただし、図２〜図５のように、すべての接地コンデンサを接地線から切り離すことはできないため、漏れ電流を低減する効果は限定的と言えるが、フィルタスイッチの数が二つで構成できるメリットがある。
【００４２】
なお、上述した各実施形態は、三相交流電路に接続されるノイズフィルタに関するものであるが、本発明は、単相交流電路に接続される場合にも適用可能である。
更に、本発明に係るノイズフィルタの一部または全部を、電力変換装置の直流中間回路（例えば、図７における平滑コンデンサＣｄｃの接続箇所）に接続する場合にも同様の効果を得ることができる。
加えて、各実施形態では、可変速駆動システムに内蔵されるノイズフィルタを想定しているが、本発明は、外付けタイプのノイズフィルタにも適用可能である。
【産業上の利用可能性】
【００４３】
本発明は、インバータ、コンバータ等により電動機等の負荷を駆動する各種の電力変換装置、電源装置に利用することができる。
【符号の説明】
【００４４】
１０：三相交流電源
２０：入力ケーブル
３０Ａ，３０Ｂ，３０Ｃ，３０Ｄ，３０Ｅ，３０Ｆ：ノイズフィルタ
３１：コモンモードチョークコイル
３１Ｒ，３１Ｓ，３１Ｔ：コイル
３２：接地線
３３，３６：線間コンデンサ
３３Ｒ，３３Ｓ，３３Ｔ，３６Ｒ，３６Ｓ，３６Ｔ：コンデンサ
３４，３７：接地コンデンサ
３５，３８，３９：フィルタスイッチ
４０：三相インバータ
４１：ダイオード整流回路
４２：インバータ部
５０：出力ケーブル
６０：三相電動機
Ｃｄｃ：平滑コンデンサ
【図１】
0006650109.tif 000002
【図２】
0006650109.tif 000003
【図３】
0006650109.tif 000004
【図４】
0006650109.tif 000005
【図５】
0006650109.tif 000006
【図６】
0006650109.tif 000007
【図７】
0006650109.tif 000008
【図８】
0006650109.tif 000009